(57)【要約】【課題】  竿体内に侵入した水を排出しやすい中通し竿を提供する。【解決手段】  一番竿１及び二番竿２の内周壁で囲む内部空間を糸案内経路Ｘとして形成するとともに内周壁面ａから内部空間に向けて先細り状に突出する釣り糸支持突部Ｓを形成し、釣り糸支持突部Ｓにおける竿先側傾斜面ｃの傾斜度を、竿尻側傾斜面ｄの傾斜度より急傾斜に形成する。三番竿３及び元竿４の内周壁面ａから内部空間に向けて先細り状に突出する釣り糸支持突部Ｓにおける竿先側傾斜面ｃの傾斜度を、竿尻側傾斜面ｄの傾斜度より緩傾斜に形成する。【選択図】        図３
2006075053.tif 000002
【特許請求の範囲】
【請求項１】
竿体の内周壁で囲む内部空間を糸案内経路として形成するとともに前記内周壁面から内部空間に向けて先細り状に突出する釣り糸支持突部を形成し、前記釣り糸支持突部における竿先側傾斜面と竿尻側傾斜面とを異なる傾斜度に形成してある中通し竿用の竿体。
【請求項２】
竿体の内周壁で囲む内部空間を糸案内経路として形成するとともに前記内周壁面から内部空間に向けて先細り状に突出する釣り糸支持突部を形成し、前記釣り糸支持突部における竿先側傾斜面の傾斜度を、竿尻側傾斜面の傾斜度より急傾斜に形成してある中通し竿用の竿体。
【請求項３】
竿体の内周壁で囲む内部空間を糸案内経路として形成するとともに前記内周壁面から内部空間に向けて先細り状に突出する釣り糸支持突部を形成し、前記釣り糸支持突部における竿先側面を前記竿体の軸線に直交する径方向断面に平行な垂直面に、かつ、竿尻側面を傾斜面に形成してある中通し竿用の竿体。
【請求項４】
竿体の内周壁で囲む内部空間を糸案内経路として形成するとともに前記内周壁面から内部空間に向けて先細り状に突出する釣り糸支持突部を形成し、前記釣り糸支持突部における竿先側傾斜面の傾斜度を、竿尻側傾斜面の傾斜度より緩傾斜に形成してある中通し竿用の竿体。
【請求項５】
竿体の内周壁で囲む内部空間を糸案内経路として形成するとともに前記内周壁面から内部空間に向けて先細り状に突出する釣り糸支持突部を形成し、前記釣り糸支持突部における竿先側面を傾斜面に、かつ、竿尻側面を前記竿体の軸線に直交する径方向断面に平行な垂直面に形成してある中通し竿用の竿体。
【請求項６】
内周壁で囲む内部空間を糸案内経路として形成するとともに前記内周壁面から内部空間に向けて先細り状に突出する釣り糸支持突部を形成してある竿体を複数本備えている中通し竿であって、
前記中通し竿における竿先側に位置する小径竿体においては、釣り糸支持突部における竿先側傾斜面の傾斜度を、竿尻側傾斜面の傾斜度より急傾斜に形成し、前記中通し竿における竿尻側に位置する大径竿体においては、釣り糸支持突部における竿先側傾斜面の傾斜度を、竿尻側傾斜面の傾斜度より緩傾斜に形成してある中通し竿。
【請求項７】
内周壁で囲む内部空間を糸案内経路として形成するとともに前記内周壁面から内部空間に向けて先細り状に突出する釣り糸支持突部を形成してある竿体を複数本備えている中通し竿であって、
前記中通し竿における竿先側に位置する小径竿体においては、前記釣り糸支持突部における竿先側面を前記竿体の軸線に直交する垂直面に、かつ、竿尻側面を傾斜面に形成し、前記中通し竿における竿尻側に位置する大径竿体においては、前記釣り糸支持突部における竿先側面を傾斜面に、かつ、竿尻側面を前記竿体の軸線に直交する垂直面に形成してある中通し竿。
【発明の詳細な説明】
【技術分野】
【０００１】
本発明は、竿体の内周壁で囲む内部空間を糸案内経路として形成するとともに前記内周壁面から内部空間に向けて突出する釣り糸支持突部を形成してある中通し竿の竿体及び中通し竿に関する。
【背景技術】
【０００２】
釣り糸支持突部は、竿先側傾斜面の傾斜度と竿尻側傾斜面の傾斜度とを同一傾斜度に形成していた。つまり、竿先側傾斜面の竿尻側への倒れ角度と、竿尻側傾斜面の竿先側への倒れ角度とを同一のものにして、釣り糸支持突部の断面形状を台形状に形成していた（特許文献１の図３を参照）。
【０００３】
【特許文献１】特開平１０−９４３４９号公報（公報段落番号〔００２１〕、図３）
【発明の開示】
【発明が解決しようとする課題】
【０００４】
上記したように、釣り糸支持突部の断面形状が台形状であるので、釣り糸支持突部に至った水は、竿先側にも竿尻側にも流れにくくなっており、竿尻側か又は竿先側の一方の開口部に水を導く効果が薄く、竿体内に水が溜まる傾向にあった。また、開口部から侵入した水が釣り糸支持突部を越えて竿の奥側へ入り込み易い傾向にあった。
複数の竿体が一体に継ながった状態では、一番竿の先端と元竿の後端とに開口部が限定されるので、中竿に水が溜まる傾向にあった。
【０００５】
本発明の目的は、中通し竿であっても、糸案内経路内に持ち込まれた水を竿先側か竿尻側の一方に導くとともに水の内部空間内への侵入を阻止して、水の排出を良好に行えるものを提供する点にある。
【課題を解決するための手段】
【０００６】
〔構成〕
請求項１に係る発明の特徴構成は、竿体の内周壁で囲む内部空間を糸案内経路として形成するとともに前記内周壁面から内部空間に向けて先細り状に突出する釣り糸支持突部を形成し、前記釣り糸支持突部における竿先側傾斜面と竿尻側傾斜面とを異なる傾斜度に形成してある点にあり、その作用効果は次の通りである。
【０００７】
〔作用〕
つまり、釣り糸支持突部における竿先側傾斜面と竿尻側傾斜面とを異なる傾斜度に形成してあるので、竿体の内部空間内に持ち込まれた水は、傾斜度の緩やかな傾斜面から傾斜度の急な面に向けて流れ易くなる。
これによって、水が排出される部分を竿先側か、或いは、竿尻側の開口部に定めることができ、竿内で水が滞留することを抑制できる。
一方、開口部から侵入する水に対しては、傾斜度の急な面で阻止できるので、竿の奥側への侵入を阻止できる。
【０００８】
〔効果〕
竿内での水の滞留を阻止するのに、釣り糸支持突部の竿先側傾斜面と竿尻側傾斜面との傾斜度を異なるものに形成するだけの、簡単な改造を行うだけで達成できるに至った。
【０００９】
請求項２に係る発明の特徴構成は、竿体の内周壁で囲む内部空間を糸案内経路として形成するとともに前記内周壁面から内部空間に向けて先細り状に突出する釣り糸支持突部を形成し、前記釣り糸支持突部における竿先側傾斜面の傾斜度を、竿尻側傾斜面の傾斜度より急傾斜に形成してある点にあり、その作用効果は次の通りである。
【００１０】
〔作用効果〕
つまり、釣り糸支持突部における竿先側傾斜面の傾斜度を竿尻側傾斜面の傾斜度より急傾斜としてあるので、竿体の内部空間内に持ち込まれた水は、緩やかな傾斜度の竿尻側から傾斜度の急な竿先側に向けて流れ易くなる。
これによって、水を竿先側の開口部に集めて排出することができ、竿内で水が滞留することを抑制できる。
一方、竿先側の開口部から侵入する水に対しては、傾斜度の急な面で阻止できるので、竿の奥側への侵入を阻止できる。
竿内での水の滞留を阻止するのに、釣り糸支持突部の竿先側傾斜面の傾斜度を竿尻側傾斜面の傾斜度より急な傾斜に形成するだけの、簡単な改造を行うだけで達成できるに至った。
【００１１】
請求項３に係る発明の特徴構成は、竿体の内周壁で囲む内部空間を糸案内経路として形成するとともに前記内周壁面から内部空間に向けて先細り状に突出する釣り糸支持突部を形成し、前記釣り糸支持突部における竿先側面を前記竿体の軸線に直交する径方向断面に平行な垂直面に、かつ、竿尻側面を傾斜面に形成してある点にあり、その作用効果は次の通りである。
【００１２】
〔作用効果〕
つまり、釣り糸支持突部における竿先側面を垂直面とし竿尻側面を傾斜面としてあるので、竿体の内部空間内に持ち込まれた水は、緩やかな傾斜度の竿尻側から垂直面の竿先側に向けて流れ易くなる。
これによって、水を竿先側の開口部に集めて排出することができ、竿内で水が滞留することを抑制できる。
一方、開口部から侵入する水に対しては、垂直面で阻止できるので、竿の奥側への侵入を阻止できる。
竿内での水の滞留を阻止するのに、釣り糸支持突部の竿先側面を垂直面とし竿尻側面を傾斜面に形成するだけの、簡単な改造を行うだけで達成できるに至った。
【００１３】
請求項４に係る発明の特徴構成は、竿体の内周壁で囲む内部空間を糸案内経路として形成するとともに前記内周壁面から内部空間に向けて先細り状に突出する釣り糸支持突部を形成し、前記釣り糸支持突部における竿先側傾斜面の傾斜度を、竿尻側傾斜面の傾斜度より緩傾斜に形成してある点にあり、その作用効果は次の通りである。
【００１４】
〔作用効果〕
つまり、釣り糸支持突部における竿先側傾斜面の傾斜度を竿尻側傾斜面の傾斜度より緩傾斜としてあるので、竿体の内部空間内に持ち込まれた水は、緩やかな傾斜度の竿先側から傾斜度の急な竿尻側に向けて流れ易くなる。
これによって、水を竿尻側の開口部に集めて排出することができ、竿内で水が滞留することを抑制できる。
一方、竿尻側の開口部から侵入する水に対しては、傾斜度の急な面で阻止できるので、竿の奥側への侵入を阻止できる。
竿内での水の滞留を阻止するのに、釣り糸支持突部の竿先側傾斜面の傾斜度を竿尻側傾斜面の傾斜度より緩やかな傾斜に形成するだけの、簡単な改造を行うだけで達成できるに至った。
【００１５】
請求項５に係る発明の特徴構成は、竿体の内周壁で囲む内部空間を糸案内経路として形成するとともに前記内周壁面から内部空間に向けて先細り状に突出する釣り糸支持突部を形成し、前記釣り糸支持突部における竿先側面を傾斜面に、かつ、竿尻側面を前記竿体の軸線に直交する径方向断面に平行な垂直面に形成してある点にあり、その作用効果は次の通りである。
【００１６】
〔作用効果〕
つまり、釣り糸支持突部における竿尻側面を垂直面とし竿先側面を傾斜面としてあるので、竿体の内部空間内に持ち込まれた水は、緩やかな傾斜度の竿先側から垂直面の竿尻側に向けて流れ易くなる。
一方、竿尻側の開口部から侵入する水に対しては、垂直面で阻止できるので、竿の奥側への侵入を阻止できる。
これによって、水を竿尻側の開口部に集めて排出することができ、竿内で水が滞留することを抑制できる。
竿内での水の滞留を阻止するのに、釣り糸支持突部の竿尻側面を垂直面とし竿先側面を傾斜面に形成するだけの、簡単な改造を行うだけで達成できるに至った。
【００１７】
請求項６に係る発明の特徴構成は、内周壁で囲む内部空間を糸案内経路として形成するとともに前記内周壁面から内部空間に向けて先細り状に突出する釣り糸支持突部を形成してある竿体を複数本備えている中通し竿であって、
前記中通し竿における竿先側に位置する小径竿体においては、釣り糸支持突部における竿先側傾斜面の傾斜度を、竿尻側傾斜面の傾斜度より急傾斜に形成し、前記中通し竿における竿尻側に位置する大径竿体においては、釣り糸支持突部における竿先側傾斜面の傾斜度を、竿尻側傾斜面の傾斜度より緩傾斜に形成してある点にあり、その作用効果は次の通りである。
【００１８】
〔作用効果〕
つまり、前記中通し竿における竿先側に位置する小径竿体においては、釣り糸支持突部における竿先側傾斜面の傾斜度を竿尻側傾斜面の傾斜度より急傾斜としてあるので、竿体の内部空間内に持ち込まれた水は、緩やかな傾斜度の竿尻側から傾斜度の急な竿先側に向けて流れ易くなる。
前記中通し竿における竿尻側に位置する大径竿体においては、釣り糸支持突部における竿先側傾斜面の傾斜度を竿尻側傾斜面の傾斜度より緩傾斜としてあるので、竿体の内部空間内に持ち込まれた水は、緩やかな傾斜度の竿先側から傾斜度の急な竿尻側に向けて流れ易くなる。
竿体内に侵入しようとする水に対しては、急傾斜部分で阻止することができる。
これによって、小径竿体では排出口となる一番竿の先端開口部に向けて水を集めることができ、大径竿体では排出口となる元竿の後端開口部に向けて水を集めることができ、排出口からの水の侵入を阻止して、竿内で水が滞留することを抑制できる。
竿内での水の滞留を阻止するのに、小径竿体では一番竿の先端開口部に向けて大径竿体では元竿の後端開口部に向けて、夫々、排水し易い側へ水を導くとともに水の侵入を阻止すべく、小径竿体では、釣り糸支持突部の竿先側傾斜面の傾斜度を竿尻側傾斜面の傾斜度より急な傾斜に形成するだけの、また、大径竿体では、釣り糸支持突部の竿先側傾斜面の傾斜度を竿尻側傾斜面の傾斜度より緩やかな傾斜に形成するだけの、簡単で、かつ、合理的な改造を行うだけで達成できるに至った。
【００１９】
請求項７に係る発明の特徴構成は、内周壁で囲む内部空間を糸案内経路として形成するとともに前記内周壁面から内部空間に向けて先細り状に突出する釣り糸支持突部を形成してある竿体を複数本備えている中通し竿であって、
前記中通し竿における竿先側に位置する小径竿体においては、前記釣り糸支持突部における竿先側面を前記竿体の軸線に直交する垂直面に、かつ、竿尻側面を傾斜面に形成し、前記中通し竿における竿尻側に位置する大径竿体においては、前記釣り糸支持突部における竿先側面を傾斜面に、かつ、竿尻側面を前記竿体の軸線に直交する垂直面に形成してある点にあり、その作用効果は次の通りである。
【００２０】
〔作用効果〕
つまり、前記中通し竿における竿先側に位置する小径竿体においては、釣り糸支持突部における竿先側面を垂直面とし竿尻側面を傾斜面としてあるので、竿体の内部空間内に持ち込まれた水は、緩やかな傾斜度の竿尻側から垂直面の竿先側に向けて流れ易くなる。
前記中通し竿における竿尻側に位置する大径竿体においては、釣り糸支持突部における竿尻側面を垂直面とし竿先側面を傾斜面としてあるので、竿体の内部空間内に持ち込まれた水は、緩やかな傾斜度の竿先側から垂直面の竿尻側に向けて流れ易くなる。
竿体内に侵入しようとする水に対しては、垂直面で阻止することができる。
これによって、小径竿体では排出口となる一番竿の先端開口部に向けて水を集めるができ、大径竿体では排出口となる元竿の後端開口部に向けて水を集めることができ、竿体内への水の侵入を阻止して、竿内で水が滞留することを抑制できる。
竿内での水の滞留を阻止するのに、小径竿体では一番竿の先端開口部に向けて大径竿体では元竿の後端開口部に向けて、夫々、排水し易い側へ水を導くべく、小径竿体では、釣り糸支持突部における竿先側面を垂直面とし竿尻側面を傾斜面に形成するだけの、また、大径竿体では、釣り糸支持突部における竿尻側面を垂直面とし竿先側面を傾斜面に形成するだけの、簡単で、かつ、合理的な改造を行うだけで達成できるに至った。
【発明を実施するための最良の形態】
【００２１】
海釣り、磯釣り等に使用される中通し竿Ａについて説明する。
図１に示すように、一番竿１、二番竿２、三番竿３、元竿４を伸縮自在に挿嵌して振出し型の中通し竿を構成する。元竿４は両軸受けリール５を取り付けたリールシート６を備えており、元竿４の外面に取り付けた糸ガイド８に形成した導入孔から送り込んだ釣り糸Ｌを元竿４の内部、三番竿３、二番竿２、及び、一番竿１の内部に形成した糸案内経路Ｘを介して竿外に送り出すよう構成してある。尚、これらの竿の素材は炭素繊維、ガラス繊維で成るプリプレグを芯材に巻回し焼成することで高い屈撓性を有した筒状に成形したものである。
【００２２】
図２及び図３に示すように、糸ガイド８は元竿４の中間位置の外面に取り付けられ、元竿４の導入孔の開口縁に耐磨耗性の長円形のセラミックリング７を備えて、釣り糸Ｌの導入孔との接触抵抗を緩和し、円滑な釣り糸Ｌの繰出しを形成している。
【００２３】
一番竿１、及び、二番竿２等の内面には図２に示す如く螺旋状の突条Ｓを竿材と一体形成して釣り糸Ｌとの接触面積を小さくして釣り糸Ｌの出し入れ時の摩擦抵抗の低減と、釣り糸Ｌの付着の抑制とを図ってある。この突条Ｓを釣り糸支持突部と称する。
【００２４】
次に、突条Ｓの実施構造について説明する。
〔第1実施形態〕
ここでは、小径竿体としての一番竿１、二番竿２に対する突条Ｓの構造について説明する。図２に示すように、小径竿体の内周壁で囲む内部空間を糸案内経路Ｘとして形成するとともに内周壁面ａから内部空間に向けて先細り状に突出する釣り糸支持突部としての突条Ｓを小径竿体と一体で形成する。
図３（イ）に示すように、小径竿体の軸線Ｙを含む縦断面で切断した場合の突条Ｓの断面の形状について説明する。突条Ｓの断面を略三角形状に形成するとともに、前記三角形状断面の頂点からその底辺に垂直におろした基準線ｂと竿先側傾斜面ｃのなす角度θ１を、前記基準線ｂと竿尻側傾斜面ｄとのなす角度θ２より小さくして、竿先側傾斜面ｃの傾斜度を、竿尻側傾斜面ｄの傾斜度より急傾斜に形成してある。
【００２５】
上記のような構成によって、竿尻側から竿先側への水の流れ易さを確保するとともに、竿先側からの小径竿体内への水侵入を抑制できて、竿体内への水の滞留を抑えることができる。
【００２６】
〔第２実施形態〕
ここでは、小径竿体としての一番竿１、二番竿２に対する突条Ｓの別構造について説明する。第１実施形態の場合と異なっている点について説明する。  図３（ロ）に示すように、第１実施形態では竿先側面ｃを傾斜面としたが、ここでは、三角形状断面の竿先側面ｃを前記基準線ｂに沿った垂直面に形成してある。前記した垂直面が、請求項３に記載する、前記竿体の軸線Ｙに直交する径方向断面に平行な垂直面に該当する。
【００２７】
上記のような構成によって、竿尻側から竿先側への水の流れ易さを確保するとともに、竿先側からの小径竿体内への水侵入を抑制できて、竿体内への水の滞留を抑えることができる。
【００２８】
〔第３実施形態〕
主として、第２実施形態の場合と異なる点について説明する。図３（ハ）に示すように、前記三角形状断面の頂点からその底辺に垂直におろした基準線ｂと竿先側傾斜面ｃのなす角度θ１を、竿尻側傾斜面ｄと同様の傾斜方向となるようにしてある。そして、その傾斜角θ１は、竿尻側傾斜面ｄのなす角度θ２より小さくして、竿先側傾斜面ｃの傾斜度を、竿尻側傾斜面ｄの傾斜度より急傾斜に形成してある。
【００２９】
上記のような構成によって、竿尻側から竿先側への水の流れ易さを確保するとともに、竿先側からの小径竿体内への水侵入を抑制する効果を高くできて、竿体内への水の滞留を抑えることができる。
【００３０】
〔第４実施形態〕
第３実施形態のものとの違いを説明すると、図３（二）に示すように、竿先側面ｃの形状が異なっており、竿先側面ｃは竿尻側傾斜面ｄに近接する方向に凹入する円弧状面に形成してある。
【００３１】
上記のような構成によって、竿尻側から竿先側への水の流れ易さを確保するとともに、竿先側からの小径竿体内への水侵入を抑制する効果を高くできて、竿体内への水の滞留を抑えることができる。
【００３２】
〔第５実施形態〕
ここでは、大径竿体としての三番竿３、元竿４に対する突条Ｓの構造について説明する。図４に示すように、大径竿体の内周壁で囲む内部空間を糸案内経路Ｘとして形成するとともに内周壁面ａから内部空間に向けて先細り状に突出する釣り糸支持突部としての突条Ｓを大径竿体と一体で形成する。
図５（イ）に示すように、大径竿体の軸線Ｙを含む縦断面で切断した場合の突条Ｓの断面の形状について説明する。突条Ｓの断面を略三角形状に形成するとともに、前記三角形状断面の頂点からその底辺に垂直におろした基準線ｂと竿先側傾斜面ｃのなす角度θ３を、前記基準線ｂと竿尻側傾斜面ｄとのなす角度θ４より大きくして、竿先側傾斜面ｃの傾斜度を、竿尻側傾斜面ｄの傾斜度より緩傾斜に形成してある。
この第５実施形態における突条Ｓの断面形状は、第１実施形態の場合と、竿先側傾斜面ｃと竿尻側傾斜面ｄとの傾斜度が逆の関係になっている。
【００３３】
上記のような構成によって、竿先側から竿尻側への水の流れ易さを確保するとともに、竿尻側からの大径竿体内への水侵入を抑制できて、大径竿体内への水の滞留を抑えることができる。
【００３４】
〔第６実施形態〕
第５実施形態の場合と異なっている点について説明する。図５（ロ）に示すように、第５実施形態では竿尻側面ｄを傾斜面としたが、ここでは、三角形状断面の竿尻側面ｄを前記基準線ｂに沿った垂直面に形成してある。前記した垂直面が、請求項５に記載する、前記竿体の軸線Ｙに直交する径方向断面に平行な垂直面に該当する。
この第６実施形態における突条Ｓの断面形状は、第２実施形態の場合と、竿先側面ｃと竿尻側面ｄとの傾斜度が逆の関係になっている。
【００３５】
上記のような構成によって、竿先側から竿尻側への水の流れ易さを確保するとともに、竿尻側からの小径竿体内への水侵入を抑制できて、竿体内への水の滞留を抑えることができる。
【００３６】
〔第７実施形態〕
主として、第６実施形態の場合と異なる点について説明する。図５（ハ）に示すように、前記三角形状断面の頂点からその底辺に垂直におろした基準線ｂと竿尻側傾斜面ｄのなす角度θ４を、前記基準線ｂを越えて竿先側傾斜面ｃと同様の傾斜方向となるようにしてある。そして、その傾斜角θ４は、竿先側傾斜面ｃのなす角度θ３より小さくして、竿先側傾斜面ｃの傾斜度を、竿尻側傾斜面ｄの傾斜度より緩傾斜に形成してある。
この第７実施形態における突条Ｓの断面形状は、第３実施形態の場合と、竿先側面ｃと竿尻側面ｄとの傾斜度が逆の関係になっている。
【００３７】
上記のような構成によって、竿先側から竿尻側への水の流れ易さを確保するとともに、竿尻側からの小径竿体内への水侵入を抑制する効果を高くできて、竿体内への水の滞留を抑えることができる。
【００３８】
〔第８実施形態〕
第７実施形態のものとの違いを説明すると、図５（二）に示すように、竿尻側面ｃの形状が異なっており、竿先側面ｃは傾斜面で第７実施形態のものと同様に傾斜面となっている。つまり、竿尻側面ｄは竿先側傾斜面ｃに近接する方向に凹入する円弧状面に形成してある。
【００３９】
上記のような構成によって、竿先側から竿尻側への水の流れ易さを確保するとともに、竿尻側からの小径竿体内への水侵入を抑制する効果を高くできて、竿体内への水の滞留を抑えることができる。
【００４０】
〔別実施形態〕
（１）  釣り糸支持突部Ｓの形態として、次のようなものでもよい。前記実施形態では、釣り糸支持突部Ｓを螺旋状に形成したが、釣り糸支持突部Ｓをリング状のものに形成してもよい。図示はしていないが、リング状に形成した釣り糸支持突部Ｓを竿体の軸線Ｙ方向に沿って所定の間隔で複数個配置する。リング状の釣り糸支持突部Ｓの断面形状としては、前記した実施形態を採用すればよい。
つまり、一番竿１や二番竿２である小径竿体においては、前記した第1実施形態から第４実施形態で記載した断面形状をリング状の釣り糸支持突部Ｓの断面として採用する。
三番竿３や元竿４である大径竿体においては、前記した第５実施形態から第８実施形態で記載した断面形状をリング状の釣り糸支持突部Ｓの断面として採用する。
【００４１】
（２）  前記した実施形態としては、釣り糸支持突部Ｓの断面形状を、一番竿１及び二番竿２では、竿先側傾斜面ｃの傾斜度を竿尻側傾斜面ｄの傾斜度より急傾斜に形成し、三番竿３及び元竿４では、竿先側傾斜面ｃの傾斜度を竿尻側傾斜面ｄの傾斜度より緩傾斜に形成している。
これに対して、三番竿３を釣り糸支持突部Ｓの断面形状を、一番竿１及び二番竿２の釣り糸支持突部Ｓの断面形状と同様に、竿先側傾斜面ｃの傾斜度を竿尻側傾斜面ｄの傾斜度より急傾斜に形成してもよい。
一方、二番竿２を釣り糸支持突部Ｓの断面形状を、三番竿３及び元竿４の釣り糸支持突部Ｓの断面形状と同様に、竿先側傾斜面ｃの傾斜度を竿尻側傾斜面ｄの傾斜度より緩傾斜に形成してもよい。
【００４２】
（３）  糸の挿通抵抗を軽減する構成としては、予め螺旋状に形成した釣り糸支持突部Ｓ、又は、リング状に形成した釣り糸支持突部Ｓを竿体内に挿入後接着して装着するようにしてもよい。ここでの釣り糸支持突部Ｓの材質としては、耐磨耗性の高い金属等を使用してもよい。
【図面の簡単な説明】
【００４３】
【図１】中通し竿の全体側面図
【図２】一番竿、二番竿の糸案内経路に形成された釣り糸支持突部を示す縦断側面図
【図３】図２における釣り糸支持突部の拡大図
【図４】三番竿、元竿の糸案内経路に形成された釣り糸支持突部を示す縦断側面図
【図５】図４における釣り糸支持突部の拡大図
【符号の説明】
【００４４】
１            一番竿
２            二番竿
３            三番竿
４            元竿
ａ            内周壁面
ｃ            竿先側傾斜面
ｄ            竿尻側傾斜面
Ｓ            釣り糸支持突部
Ｘ            糸案内経路
【図１】
2006075053.tif 000003
【図２】
2006075053.tif 000004
【図３】
2006075053.tif 000005
【図４】
2006075053.tif 000006
【図５】
2006075053.tif 000007